(57)【要約】【課題】従来の電子機器において実行されていた文字入力を操作性の面で改善すること。【解決手段】１つの態様において、電子機器は、筐体と、前記筐体の縁に沿って並ぶ複数の物理キーと、前記物理キーの操作に基づいて、点字規則に従った文字入力処理を実行するコントローラとを備える。前記コントローラは、複数の前記物理キーに、前記点字規則に従って文字に対応する複数の点字キーに対応する役割を重複しないように個別に割り当てる。前記コントローラは、１又は複数の前記物理キーに対する操作を検出すると、該操作が検出された１又は複数の物理キーに対応する文字を前記点字規則と照らし合わせて特定する。【選択図】図１
2020155161.tif 000002
【特許請求の範囲】
【請求項１】
筐体と、
前記筐体の縁に沿って並ぶ複数の物理キーと、
前記物理キーの操作に基づいて、点字規則に従った文字入力処理を実行するコントローラと
を備え、
前記コントローラは、
複数の前記物理キーに、前記点字規則に従って文字を表わす点字を入力するための複数の点字キーに対応する役割を重複しないように個別に割り当てて、
１又は複数の前記物理キーに対する操作を検出すると、該操作が検出された１又は複数の物理キーに対応する文字を前記点字規則と照らし合わせて特定する電子機器。
【請求項２】
筐体と、
前記筐体の縁に沿って並ぶ複数の物理キーと
を備える電子機器が実行する制御方法であって、
複数の前記物理キーに、点字規則に従って文字に対応する複数の点字キーに対応する役割を重複しないように個別に割り当てるステップと、
１又は複数の前記物理キーに対する操作を検出すると、該操作が検出された１又は複数の物理キーに対応する文字を前記点字規則と照らし合わせて特定するステップと
含む文字入力制御方法。
【請求項３】
筐体と、
前記筐体の縁に沿って並ぶ複数の物理キーと
を備える電子機器に、
複数の前記物理キーに、点字規則に従って文字に対応する複数の点字キーに対応する役割を重複しないように個別に割り当てるステップと、
１又は複数の前記物理キーに対する操作を検出すると、該操作が検出された１又は複数の物理キーに対応する文字を前記点字規則と照らし合わせて特定するステップと
を実行させる文字入力制御プログラム。
【発明の詳細な説明】
【技術分野】
【０００１】
本出願は、電子機器、文字入力制御方法、及び文字入力制御プログラムに関する。
【背景技術】
【０００２】
電子機器には、物理キー及びタッチスクリーンなどを搭載したものがある。例えば、特許文献１には、物理キー及びタッチスクリーンを介して検出した操作に応じて各種の機能を実行する電子機器が開示されている。
【先行技術文献】
【特許文献】
【０００３】
【特許文献１】国際公開第２００８／０８６３０２号
【発明の概要】
【発明が解決しようとする課題】
【０００４】
従来の電子機器において実行されていた文字入力には、操作性の面で改善の余地がある。
【課題を解決するための手段】
【０００５】
１つの態様に係る電子機器は、筐体と、前記筐体の縁に沿って並ぶ複数の物理キーと、前記物理キーの操作に基づいて、点字規則に従った文字入力処理を実行するコントローラとを備える。前記コントローラは、複数の前記物理キーに、前記点字規則に従って文字を表わす点字を入力するための複数の点字キーに対応する役割を重複しないように個別に割り当てて、１又は複数の前記物理キーに対する操作を検出すると、該操作が検出された１又は複数の物理キーに対応する文字を前記点字規則と照らし合わせて特定する。
【０００６】
１つの態様に係る文字入力制御方法は、筐体と、前記筐体の縁に沿って並ぶ複数の物理キーとを備える電子機器が実行する制御方法である。前記制御方法は、複数の前記物理キーに、点字規則に従って文字を表わす点字を入力するための複数の点字キーに対応する役割を重複しないように個別に割り当てるステップを含む。前記制御方法は、１又は複数の前記物理キーに対する操作を検出すると、該操作が検出された１又は複数の物理キーに対応する文字を前記点字規則と照らし合わせて特定するステップ含む。
【０００７】
１つの態様に係る文字入力制御プログラムは、筐体と、前記筐体の縁に沿って並ぶ複数の物理キーとを備える電子機器に次のステップを実行させる。前記文字入力制御プログラムは、複数の前記物理キーに、点字規則に従って文字を表わす点字を入力するための複数の点字キーに対応する役割を重複しないように個別に割り当てるステップを実行させる。前記文字入力制御プログラムは、１又は複数の前記物理キーに対する操作を検出すると、該操作が検出された１又は複数の物理キーに対応する文字を前記点字規則と照らし合わせて特定するステップを実行させる。
【図面の簡単な説明】
【０００８】
【図１】図１は、実施形態に係る電子機器の機能構成の一例を示すブロック図である。
【図２】図２は、実施形態に係るキーユニットの配置例を示す図である。
【図３】図３は、実施形態に係るタッチスクリーンの配置例を示す図である。
【図４】図４は、実施形態に係るタッチスクリーンの構造の一例を示す図である。
【図５】図５は、実施形態に係る点字規則に従った文字入力処理を実行する点字キーの概念的な構成の一例を示す図である。
【図６】図６は、実施形態に係るキー割り当てデータの一例を示す図である。
【図７】図７は、実施形態に係る点字キーの役割が割り当られる物理キーの位置を示す図である。
【図８】図８は、実施形態に係るキー割り当てデータの他の例を示す図である。
【図９】図９は、実施形態に係る点字キーの役割が割り当られる物理キーの位置を示す他の概要図である。
【図１０】図１０は、実施形態に係るキー割り当てデータの他の例を示す図である。
【図１１】図１１は、実施形態に係る点字キーの役割が割り当られる物理キーの位置を示す他の概要図である。
【図１２】図１２は、実施形態に係る点字規則データの例を示す図である。
【図１３】図１３は、実施形態に係るひらがな入力ロジックファイルの概要を示す図である。
【図１４】図１４は、実施形態に係る文字入力処理に伴う画面遷移を示す概要図である。
【図１５】図１５は、実施形態に係る電子機器により実行される処理の流れの一例を示すフローチャートである。
【図１６】図１６は、電子機器が備える複数の物理キーの他の配置例を示す図である。
【図１７】図１７は、電子機器が備える複数の物理キーの他の配置例を示す図である。
【図１８】図１８は、実施形態に係る物理キーユニットの他の構成例を示す図である。
【図１９】図１９は、実施形態に係る電子機器が備える物理キーの操作面に関する他の構造例を示す図である。
【図２０】図２０は、実施形態に係る電子機器が備える物理キーの操作面に関する他の構造例を示す図である。
【図２１】図２１は、実施形態に係る電子機器の機能構成の他の例を示す図である。
【図２２】図２２は、実施形態に係る電子機器の他の構造例を示す図である。
【図２３】図２３は、実施形態に係る電子機器の他の構造例を示す図である。
【図２４】図２４は、実施形態に係る電子機器の他の構造例を示す図である。
【図２５】図２５は、実施形態に係る電子機器の他の構造例を示す図である。
【図２６】図２６は、実施形態に係る電子機器の他の構造例を示す図である。
【図２７】図２７は、実施形態に係る電子機器の他の構造例を示す図である。
【発明を実施するための形態】
【０００９】
本出願に係る電子機器、文字入力制御方法、及び文字入力制御プログラムを実施するための複数の実施形態を、図面を参照しつつ詳細に説明する。
【００１０】
本出願に係る電子機器は、スマートフォン、モバイルフォン、タブレット、携帯型パソコン、メディアプレイヤ、電子書籍リーダ、ナビゲータ、ウエアラブルデバイス、又はゲーム機等の機器であってよい。
【００１１】
図１は、実施形態に係る電子機器の機能構成の一例を示すブロック図である。以下の説明において、同様の構成要素について同一の符号を付すことがある。以下の説明において、重複する説明は省略することがある。
【００１２】
図１に示すように、電子機器１は、タッチスクリーンディスプレイ２と、物理キーユニット３と、照度センサ４と、近接センサ５と、通信ユニット６と、レシーバ７と、マイク８と、ストレージ９と、コントローラ１０と、スピーカ１１と、カメラ１２と、カメラ１３と、コネクタ１４と、モーションセンサ１５とを含む。
【００１３】
タッチスクリーンディスプレイ２は、ディスプレイ２Ａと、タッチスクリーン２Ｂとを有する。ディスプレイ２Ａ及びタッチスクリーン２Ｂは、例えば、重なって位置してよいし、並んで位置してよいし、離れて位置してよい。ディスプレイ２Ａとタッチスクリーン２Ｂとが重なって位置する場合、例えば、ディスプレイ２Ａの１ないし複数の辺は、タッチスクリーン２Ｂのいずれの辺とも沿っていなくてもよい。
【００１４】
ディスプレイ２Ａは、液晶ディスプレイ（ＬＣＤ：Ｌｉｑｕｉｄ  Ｃｒｙｓｔａｌ  Ｄｉｓｐｌａｙ）、有機ＥＬディスプレイ（ＯＥＬＤ：Ｏｒｇａｎｉｃ  Ｅｌｅｃｔｒｏ−Ｌｕｍｉｎｅｓｃｅｎｃｅ  Ｄｉｓｐｌａｙ）、又は無機ＥＬディスプレイ（ＩＥＬＤ：Ｉｎｏｒｇａｎｉｃ  Ｅｌｅｃｔｒｏ−Ｌｕｍｉｎｅｓｃｅｎｃｅ  Ｄｉｓｐｌａｙ）等の表示デバイスを含む。ディスプレイ２Ａは、文字、画像、記号、及び図形等のオブジェクトを画面内に表示する。ディスプレイ２Ａが表示するオブジェクトを含む画面は、ロック画面と呼ばれる画面、ホーム画面と呼ばれる画面、アプリケーションの実行中に表示されるアプリケーション画面を含む。ホーム画面は、デスクトップ、待受画面、アイドル画面、標準画面、アプリ一覧画面又はランチャー画面と呼ばれることもある。
【００１５】
タッチスクリーン２Ｂは、タッチスクリーン２Ｂに対する指、ペン、又はスタイラスペン等の接触又は近接を検出する。タッチスクリーン２Ｂは、複数の指、ペン、又はスタイラスペン等がタッチスクリーン２Ｂに接触又は近接したときのタッチスクリーン２Ｂ上の位置を検出することができる。以下の説明において、タッチスクリーン２Ｂが検出する複数の指、ペン、及びスタイラスペン等がタッチスクリーン２Ｂに接触又は近接した位置を「検出位置」と表記する。タッチスクリーン２Ｂは、タッチスクリーン２Ｂに対する指の接触又は近接を、検出位置とともにコントローラ１０に通知する。タッチスクリーン２Ｂは、検出位置の通知をもって接触又は近接の検出をコントローラ１０に通知してよい。タッチスクリーン２Ｂが行える動作を、タッチスクリーン２Ｂを有するタッチスクリーンディスプレイ２は実行できる。言い換えると、タッチスクリーン２Ｂが行う動作は、タッチスクリーンディスプレイ２が行ってもよい。
【００１６】
コントローラ１０は、タッチスクリーン２Ｂにより検出された接触又は近接、検出位置、検出位置の変化、接触又は近接が継続した時間、接触又は近接が検出された間隔、及び接触が検出された回数の少なくとも１つに基づいて、ジェスチャの種別を判別する。コントローラ１０が行える動作を、コントローラ１０を有する電子機器１は実行できる。言い換えると、コントローラ１０が行う動作は、電子機器１が行ってもよい。ジェスチャは、指を用いて、タッチスクリーン２Ｂに対して行われる操作である。タッチスクリーン２Ｂに対して行われる操作は、タッチスクリーン２Ｂを有するタッチスクリーンディスプレイ２に行われてもよい。コントローラ１０が、タッチスクリーン２Ｂを介して判別するジェスチャには、例えば、タッチ、ロングタッチ、リリース、スワイプ、タップ、ダブルタップ、ロングタップ、ドラッグ、フリック、ピンチイン、及びピンチアウトが含まれるが、これらに限定されない。
【００１７】
タッチスクリーン２Ｂの検出方式は、静電容量方式、抵抗膜方式、表面弾性波方式、赤外線方式、及び荷重検出方式等の任意の方式でよい。
【００１８】
物理キーユニット３は、ユーザからの操作入力を受け付ける。物理キーユニット３は、第１キーユニット３ａ、第２キーユニット３ｂ、第３キーユニット３ｃ、及びタッチスクリーン３ｄを有する。
【００１９】
図２及び図３を用いて、実施形態に係る物理キーユニットの配置例を説明する。図２は、実施形態に係るキーユニットの配置例を示す図である。図３は、実施形態に係るタッチスクリーンの配置例を示す図である。
【００２０】
実施形態に係る電子機器１は略直方体状の筐体１ｈを備え、電子機器１の平面は図２に示すように略長方形状の形態をなす。第１キーユニット３ａは、図２に示す物理キー３ａ１、・・・、物理キー３ａ１０の合計１０個の物理キーを含んで構成される。物理キー３ａ１、・・・、物理キー３ａ１０は、電子機器１の筐体１ｈの縁Ｆ１に沿って、図２に示すｘ軸に平行な方向に１列に並んで配置される。第２キーユニット３ｂは、図２に示す物理キー３ｂ１、・・・、物理キー３ｂ１０の合計１０個の物理キーを含んで構成される。物理キー３ｂ１、・・・、物理キー３ｂ１０は、電子機器１の筐体１ｈの縁Ｆ２に沿って、図２に示すｘ軸に平行な方向に１列に並んで配置される。第３キーユニット３ｃは、図２に示す物理キー３ｃ１、物理キー３ｃ２、及び物理キー３ｃ３の合計３個の物理キーを含んで構成される。物理キー３ｃ１、物理キー３ｃ２、及び物理キー３ｃ３は、電子機器１の筐体１ｈの縁Ｆ３に沿って、図２に示すｙ軸に平行な方向に１列に並んで配置される。図２に示す第１キーユニット３ａ、第２キーユニット３ｂ、及び第３キーユニット３ｃのそれぞれを構成する物理キーの個数は一例であり、必ずしも、図２に示す例と同数の物理キーで構成されていなくてもよい。また、第１キーユニット３ａ及び第２キーユニット３ｂを構成する物理キーの個数が相互の異なる数であってもよい。図２に示す例では、物理キー３ａ１、・・・、物理キー３ａ１０は、電子機器１の筐体１ｈの縁Ｆ１に沿って配置されるが、タッチスクリーンディスプレイ２の輪郭を構成する１辺に沿った配置であってよい。同様に、物理キー３ｂ１、・・・、物理キー３ｂ１０は、タッチスクリーンディスプレイ２の輪郭を構成する１辺に沿った配置であってよい。同様に、物理キー３ｃ１、物理キー３ｃ２、及び物理キー３ｃ３は、タッチスクリーンディスプレイ２の輪郭を構成する１辺に沿った配置であってよい。
【００２１】
第１キーユニット３ａを構成する物理キー３ａ１、・・・、物理キー３ａ１０は、キーの押下を検出できる。第２キーユニット３ｂを構成する物理キー３ｂ１、・・・、物理キー３ｂ１０は、キーの押下を検出できる。第３キーユニット３ｃを構成する物理キー３ａ１、物理キー３ｃ２、及び物理キー３ｃ３は、キーの押下を検出できる。第１キーユニット３ａ、第２キーユニット３ｂ、及び第３キーユニット３ｃを構成する各物理キーに対する押下の検出は、各物理キーが個別に行ってよい。第１キーユニット３ａ、第２キーユニット３ｂ、及び第３キーユニット３ｃを構成する各物理キーは、各物理キーの表面の質感を電子機器１の他の部材とは異なる質感を持つように構成してもよい。第１キーユニット３ａ、第２キーユニット３ｂ、及び第３キーユニット３ｃを構成する各物理キーは、各物理キーの表面の形状として、円柱型、直方体型、屋根型などの任意の形状を採用してよい。第１キーユニット３ａ、第２キーユニット３ｂ、及び第３キーユニット３ｃを構成する各物理キーは、２段階以上の押下が可能な構成であってよい。第１キーユニット３ａを構成する物理キー３ａ１、・・・、物理キー３ａ１０は、物理キーの一例である。
【００２２】
タッチスクリーン３ｄは、図３に示すように、タッチスクリーン３ｄａ、タッチスクリーン３ｄｂ、及びタッチスクリーン３ｄｃを含む。タッチスクリーン３ｄａは、図３に示すｘ軸に平行な方向に沿って、電子機器１の長手方向に延在するように第１キーユニット３ａの下に配置される。タッチスクリーン３ｄｂは、図３に示すｘ軸に平行な方向に沿って、電子機器１の長手方向に延在するように第２キーユニット３ｂの下に配置される。タッチスクリーン３ｄｃは、図３に示すｙ軸に平行な方向に沿って、電子機器１の短手方向に延在するように第３キーユニット３ｃの下に配置される。タッチスクリーン３ｄａは、第１キーユニット３ａに対する指などの導電性の物体の接触及び近接などを検出できる。タッチスクリーン３ｄｂは、第２キーユニット３ｂに対する指などの導電性の物体の接触及び近接などを検出できる。タッチスクリーン３ｄｃは、第３キーユニット３ｃに対する指などの導電性の物体の接触及び近接などを検出できる。
【００２３】
図４を用いて、実施形態に係るタッチスクリーン３ｄの構造の一例を説明する。図４は、実施形態に係るタッチスクリーンの構造の一例を示す図である。図４は、タッチスクリーン３ｄが備えるタッチスクリーンのうちのタッチスクリーン３ｄａの構造の一部を示している。図４に示すように、タッチスクリーン３ｄａは、複数の第１の電極４０ａ１と、複数の第２の電極４０ａ２とを含む。第１の電極４０ａ１は、タッチスクリーン３ｄａの短手方向に延在する。第２の電極４０ａ２は、タッチスクリーン３ｄａの長手方向に延在する。タッチスクリーン３ｄａは、複数の第１の電極４０ａ１と複数の第２の電極４０ａ２とを、格子状に交差させた状態で配置する。タッチスクリーン３ｄａは、複数の第１の電極４０ａ１と複数の第２の電極４０ａ２とが交差する各位置（検出点）で、第１キーユニット３ａに対する指などの接触又は近接を検出する。導電性の物体がタッチスクリーン３ｄａに接近すると、タッチスクリーン３ｄａと当該物体との間に容量結合が発生する。タッチスクリーン３ｄａは、容量結合を検出点で感知することにより、指などの導電性の物体の接触などを検出する。図４に示す例では、第１キーユニット３ａを構成する物理キー３ａ１、・・・、物理キー３ａ１０を設置するためのキーホール４０ａ３が設けられることを原因として、複数の第１の電極４０ａ１と複数の第２の電極４０ａ２とが格子状に交差されずに、不均一な状態で配置される箇所が存在するが、コントローラ１０による処理において検出点の校正を実行できる。タッチスクリーン３ｄの検出方式は、タッチスクリーン２Ｂと同様に、静電容量方式、抵抗膜方式、表面弾性波方式、赤外線方式、及び荷重検出方式等の任意の方式でよい。
【００２４】
コントローラ１０は、タッチスクリーン３ｄａの検出結果に基づいて、第１キーユニット３ａを構成する物理キー３ａ１、・・・、物理キー３ａ１０の中のいずれのキーが接触されたかを判別できる。コントローラ１０は、第１キーユニット３ａの検出結果に基づいて、第１キーユニット３ａを構成する物理キー３ａ１、・・・、物理キー３ａ１０の中のいずれのキーが押下されたかを判別できる。コントローラ１０は、タッチスクリーン３ｄｂの検出結果に基づいて、第２キーユニット３ｂを構成する物理キー３ｂ１、・・・、物理キー３ｂ１０の中のいずれのキーが接触されたかを判別できる。コントローラ１０は、第２キーユニット３ｂの検出結果に基づいて、第２キーユニット３ｂを構成する物理キー３ｂ１、・・・、物理キー３ｂ１０の中のいずれのキーが押下されたかを判別できる。コントローラ１０は、タッチスクリーン３ｄｃの検出結果に基づいて、第３キーユニット３ｃを構成する物理キー３ｃ１、物理キー３ｃ２、及び物理キー３ｃ３の中のいずれのキーが接触されたかを判別できる。コントローラ１０は、第３キーユニット３ｃの検出結果に基づいて、第３キーユニット３ｃを構成する物理キー３ｃ１、物理キー３ｃ２、及び物理キー３ｃ３の中のいずれのキーが押下されたかを判別できる。
【００２５】
コントローラ１０は、例えば、タッチスクリーン３ｄを介して、第１キーユニット３ａを構成する物理キーに対するタッチ、及び第２キーユニット３ｂを構成する物理キーに対するタッチの両方を検出した場合には、最新のタッチに対する処理を優先して実行できる。コントローラ１０は、第１キーユニット３ａを構成する物理キーに対するタッチ、及び第２キーユニット３ｂを構成する物理キーに対するタッチの両方を検出している状態で、タッチスクリーン２Ｂなどを介して、第１キーユニット３ａ及び第２キーユニット３ｂ以外へのタッチが検出された場合には、第１キーユニット３ａ及び第２キーユニット３ｂ以外へのタッチを無効な操作として取り扱うことができる。
【００２６】
コントローラ１０は、例えば、タッチスクリーン３ｄを介して、第１キーユニット３ａを構成する物理キー、及び第２キーユニット３ｂを構成する物理キーに対するロングタッチ、タップ、ダブルタップ、スライドなどのタッチジェスチャを検出してもよい。
【００２７】
照度センサ４は、照度を検出する。照度は、照度センサ４の測定面の単位面積に入射する光束の値である。照度センサ４は、例えば、ディスプレイ２Ａの輝度の調整に用いられる。
【００２８】
近接センサ５は、近隣の物体の存在を非接触で検出する。近接センサ５は、磁界の変化又は超音波の反射波の帰還時間の変化等に基づいて物体の存在を検出する。近接センサ５は、例えば、ディスプレイ２Ａと顔とが接近したことを検出する。照度センサ４及び近接センサ５は、１つのセンサとして構成されていてもよい。照度センサ４は、近接センサとして用いられてもよい。
【００２９】
通信ユニット６は、無線により通信する。通信ユニット６によってサポートされる無線通信規格には、例えば、２Ｇ、３Ｇ、４Ｇ、５Ｇ等のセルラーフォンの通信規格と、近距離無線の通信規格とが含まれる。セルラーフォンの通信規格としては、例えば、ＬＴＥ（Ｌｏｎｇ  Ｔｅｒｍ  Ｅｖｏｌｕｔｉｏｎ）、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＷｉＭＡＸ（登録商標）（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＣＤＭＡ２０００、ＰＤＣ（Ｐｅｒｓｏｎａｌ  Ｄｉｇｉｔａｌ  Ｃｅｌｌｕｌａｒ）、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＰＨＳ（Ｐｅｒｓｏｎａｌ  Ｈａｎｄｙ−ｐｈｏｎｅ  Ｓｙｓｔｅｍ）等がある。近距離無線の通信規格としては、例えば、ＩＥＥＥ８０２．１１、Ｂｌｕｅｔｏｏｔｈ（登録商標）、ＩｒＤＡ（Ｉｎｆｒａｒｅｄ  Ｄａｔａ  Ａｓｓｏｃｉａｔｉｏｎ）、ＮＦＣ（Ｎｅａｒ  Ｆｉｅｌｄ  Ｃｏｍｍｕｎｉｃａｔｉｏｎ）、ＷＰＡＮ（Ｗｉｒｅｌｅｓｓ  Ｐｅｒｓｏｎａｌ  Ａｒｅａ  Ｎｅｔｗｏｒｋ）等が含まれる。ＷＰＡＮの通信規格には、例えば、ＺｉｇＢｅｅ（登録商標）が含まれる。通信ユニット６は、上述した通信規格の１つ又は複数をサポートしていてもよい。
【００３０】
レシーバ７は、コントローラ１０から送出される音信号を音として出力する。レシーバ７は、例えば、電子機器１にて再生される動画の音、音楽の音、及び通話時の相手の声を出力することができる。マイク８は、入力されるユーザの声等を音信号へ変換してコントローラ１０へ送信する。
【００３１】
ストレージ９は、プログラム及びデータを記憶する。ストレージ９は、コントローラ１０の処理結果を一時的に記憶する作業領域として利用されてもよい。ストレージ９は、半導体記憶媒体、及び磁気記憶媒体等の任意の非一過的（ｎｏｎ−ｔｒａｎｓｉｔｏｒｙ）な記憶媒体を含んでよい。ストレージ９は、複数の種類の記憶媒体を含んでよい。ストレージ９は、メモリカード、光ディスク、又は光磁気ディスク等の記憶媒体と、記憶媒体の読み取り装置との組み合わせを含んでよい。ストレージ９は、ＲＡＭ（Ｒａｎｄｏｍ  Ａｃｃｅｓｓ  Ｍｅｍｏｒｙ）等の一時的な記憶領域として利用される記憶デバイスを含んでよい。
【００３２】
ストレージ９に記憶されるプログラムには、フォアグランド又はバックグランドで実行されるアプリケーションと、アプリケーションの動作を支援する支援プログラム（図示略）とが含まれる。アプリケーションは、例えば、フォアグランドで実行される場合、当該アプリケーションに係る画面を、ディスプレイ２Ａに表示する。支援プログラムには、例えば、ＯＳが含まれる。プログラムは、通信ユニット６による無線通信又は非一過的な記憶媒体を介してストレージ９にインストールされてもよい。
【００３３】
ストレージ９は、制御プログラム９Ａ、文字入力制御プログラム９Ｂ、キー割り当てデータ９Ｃ、点字規則データ９Ｄ、条件データ９Ｅ、及び設定データ９Ｚなどを記憶できる。制御プログラム９Ａは、各種機能を提供するに際し、電子機器１が記憶する各種アプリケーションと連携できる。制御プログラム９Ａは、通信ユニット６を介してクラウドストレージと連携し、当該クラウドストレージが記憶するファイル及びデータにアクセスしてもよい。クラウドストレージは、ストレージ９に記憶されるプログラム及びデータの一部又は全部を記憶してもよい。
【００３４】
制御プログラム９Ａは、電子機器１の各種動作に関する処理を実現するための機能をそれぞれ提供できる。制御プログラム９Ａが提供する機能には、照度センサ４の検出結果に基づいて、ディスプレイ２Ａの輝度を調整する機能が含まれる。制御プログラム９Ａが提供する機能には、近接センサ５の検出結果に基づいて、タッチスクリーン２Ｂに対する操作を無効とする機能が含まれる。制御プログラム９Ａが提供する機能には、通信ユニット６、レシーバ７、及びマイク８等を制御することによって、通話を実現させる機能が含まれる。制御プログラム９Ａが提供する機能には、カメラ１２、及びカメラ１３の撮影処理を制御する機能が含まれる。制御プログラム９Ａが提供する機能には、コネクタ１４を介して接続される外部機器との間の通信を制御する機能が含まれる。制御プログラム９Ａが提供する機能には、タッチスクリーン２Ｂの検出結果に基づいて判別したジェスチャに応じて、ディスプレイ２Ａに表示されている情報を変更する等の各種制御を行う機能が含まれる。制御プログラム９Ａが提供する機能には、モーションセンサ１５の検出結果に基づいて、電子機器１を携帯する利用者の移動、停止等を検出する機能が含まれる。
【００３５】
文字入力制御プログラム９Ｂは、物理キーの操作に基づいて、点字規則に従った文字入力処理を実行するための機能を提供できる。文字入力制御プログラム９Ｂは、例えば、第１キーユニット３ａを構成する複数の物理キー３ａ１、・・・、物理キー３ａ１０に、点字規則に従って文字を表わす点字を入力するための複数の点字キーに対応する役割を重複しないように個別に割り当てる機能を提供できる。文字入力制御プログラム９Ｂは、例えば、複数の物理キー３ａ１、・・・、物理キー３ａ１０の少なくとも１つのキーに対する操作を検出すると、操作が検出された物理キーに対応する文字を点字規則と照らし合わせて特定する機能を提供できる。
【００３６】
キー割り当てデータ９Ｃは、点字規則に従った文字入力処理の実行に際して、第１キーユニット３ａを構成する複数の物理キーに所定の役割を割り当てるためのデータである。図５は、実施形態に係る点字規則に従った文字入力処理を実行する点字キーの概念的な構成の一例を示す図である。図５に示すように、点字キーは、右側キーグループ３０ａと、左側キーグループ３０ｂで構成される。点字規則に従った６点入力を実現できるように、右側キーグループ３０ａには３個の物理キーが含まれ、同様に、左側キーグループ３０ｂにも３個の物理キーが含まれる。具体的には、右側キーグループ３０ａは、キーＲ１、キーＲ２、及びキーＲ３の３つのキーを含む。左側キーグループ３０ｂは、キーＬ１、キーＬ２、及びキーＬ３の３つのキーを含む。キー割り当てデータ９Ｃは、点字規則に従って文字を表わす点字を入力するための複数の点字キーに対応する役割を、例えば、第１キーユニット３ａを構成する複数の物理キー３ａ１、・・・、物理キー３ａ１０に対して重複しないように個別に割り当てるための情報を有する。図６は、実施形態に係るキー割り当てデータの一例を示す図である。図６に示す例では、右側キーグループ３０ａを構成するキーＲ１、キーＲ２、及びキーＲ３の役割が、物理キー３ａ４、物理キー３ａ３、及び物理キー３ａ２にそれぞれ割り当てられ、左側キーグループ３０ｂを構成するキーＬ１、キーＬ２、及びキーＬ３の役割が、物理キー３ａ７、物理キー３ａ８、及び物理キー３ａ９にそれぞれ割り当てられるように設定されている。図７は、実施形態に係る点字キーの役割が割り当られる物理キーの位置を示す図である。図６に示す設定により、図７に示すように、第１キーユニット３ａを構成する物理キー３ａ４、物理キー３ａ３、及び物理キー３ａ２が、図５に示す右側キーグループ３０ａとして使用され、第１キーユニット３ａを構成する物理キー３ａ７、物理キー３ａ８、及び物理キー３ａ９が、図５に示す左側キーグループ３０ｂとして使用される。図７に示す点字キーの割り当ては一例であり、図６に示す設定を変更することにより、図７に示す例とは別のパターンで第１キーユニット３ａを構成する物理キーに対する点字キーの割り当てが行われてもよい。図８及び図１０は、実施形態に係るキー割り当てデータの他の例を示す図である。図９及び図１１は、実施形態に係る点字キーの役割が割り当られる物理キーの位置を示す他の概要図である。図６及び図７に示す例とは異なり、点字キーを構成する右側キーグループ３０ａ及び左側キーグループ３０ｂのいずれか一方が、第２キーユニット３ｂに含まれる複数の物理キーに割り当てられてもよい。例えば、図８及び図９に示すように、右側キーグループ３０ａを構成するキーＲ１、キーＲ２、及びキーＲ３の役割が、第２キーユニット３ｂの物理キー３ａ４、物理キー３ａ３、及び物理キー３ａ２にそれぞれ割り当てられ、左側キーグループ３０ｂを構成するキーＬ１、キーＬ２、及びキーＬ３の役割が、第１キーユニット３ａの物理キー３ａ７、物理キー３ａ８、及び物理キー３ａ９にそれぞれ割り当てられてもよい。あるいは、図６及び図７に示す例とは異なり、点字キーを構成する右側キーグループ３０ａ及び左側キーグループ３０ｂの全ての役割が、第２キーユニット３ｂに含まれる複数の物理キーに割り当てられてもよい。例えば、図１０及び図１１に示すように、右側キーグループ３０ａを構成するキーＲ１、キーＲ２、及びキーＲ３の役割が、第２キーユニット３ｂの物理キー３ｂ４、物理キー３ｂ３、及び物理キー３ｂ２にそれぞれ割り当てられ、左側キーグループ３０ｂを構成するキーＬ１、キーＬ２、及びキーＬ３の役割が、第２キーユニット３ｂの物理キー３ｂ７、物理キー３ｂ８、及び物理キー３ｂ９にそれぞれ割り当てられてもよい。
【００３７】
点字規則データ９Ｄは、第１キーユニット３ａを構成する１又は複数の物理キーの操作に対応する文字を特定するためのデータである。点字規則データ９Ｄは、第１キーユニット３ａを構成する１又は複数の物理キーの操作に対応する文字を特定するために必要となるデータを全て含む。図１２は、実施形態に係る点字規則データの例を示す図である。図１２に示すように、点字規則データ９Ｄは、例えば、ひらがな入力ロジックファイル９Ｄ−１、促音入力ロジックファイル９Ｄ−２、濁音入力ロジックファイル９Ｄ−３、半濁音入力ロジックファイル９Ｄ−４、拗音入力ロジックファイル９Ｄ−５、拗濁音入力ロジックファイル９Ｄ−６、拗半濁音入力ロジックファイル９Ｄ−７、数字入力ロジックファイル９Ｄ−８などのファイルを含む。
【００３８】
図１３を用いて、点字規則データ９Ｄの一例を説明する。図１３は、実施形態に係るひらがな入力ロジックファイルの概要を示す図である。図１３に示すように、例えば、あ行の「あ」の文字は、左側キーグループ３０ｂのキーＬ１に対する操作、すなわち、物理キー３ａ７への操作に対応し、か行の「か」は、左側キーグループ３０ｂのキーＬ１及び右側キーグループ３０ａのキーＲ３に対する操作、すなわち、物理キー３ａ７及び物理キー３ａ２への操作に対応している。このように、ひらがな入力ロジックファイルは、あ行、か行、さ行、た行、な行、は行、ま行、や行、ら行、わ行の各行に含まれる文字と、第１キーユニット３ａを構成する１又は複数の物理キーに対する操作パターンとの対応関係を規定している。同様にして、促音入力ロジックファイル９Ｄ−２、濁音入力ロジックファイル９Ｄ−３、半濁音入力ロジックファイル９Ｄ−４、拗音入力ロジックファイル９Ｄ−５、拗濁音入力ロジックファイル９Ｄ−６、拗半濁音入力ロジックファイル９Ｄ−７、数字入力ロジックファイル９Ｄ−８などのファイルについても、各文字と、第１キーユニット３ａを構成する１又は複数の物理キーに対する操作パターンとの対応関係を規定している。
【００３９】
条件データ９Ｅは、文字入力制御プログラム９Ｂで処理を実行する各種条件が設定されている。具体的には、条件データ９Ｅには、文字入力制御プログラム９Ｂの文字入力処理の開始条件、文字入力処理の終了条件等が設定されている。
【００４０】
設定データ９Ｚは、制御プログラム９Ａにより実行される処理に用いられる情報を含む。
【００４１】
コントローラ１０は、演算処理装置を含む。演算処理装置は、例えば、ＣＰＵ（Ｃｅｎｔｒａｌ  Ｐｒｏｃｅｓｓｉｎｇ  Ｕｎｉｔ）、ＳｏＣ（Ｓｙｓｔｅｍ−ｏｎ−ａ−Ｃｈｉｐ）、ＭＣＵ（Ｍｉｃｒｏ  Ｃｏｎｔｒｏｌ  Ｕｎｉｔ）、ＦＰＧＡ（Ｆｉｅｌｄ−Ｐｒｏｇｒａｍｍａｂｌｅ  Ｇａｔｅ  Ａｒｒａｙ）、およびコプロセッサを含むが、これらに限定されない。コントローラ１０は、電子機器１の動作を統括的に制御して各種の機能を実現する。
【００４２】
具体的には、コントローラ１０は、ストレージ９に記憶されているデータを必要に応じて参照しつつ、ストレージ９に記憶されているプログラムに含まれる命令を実行する。そして、コントローラ１０は、データ及び命令に応じて機能部を制御し、それによって各種機能を実現する。機能部は、例えば、ディスプレイ２Ａ、通信ユニット６、マイク８、及びスピーカ１１を含むが、これらに限定されない。コントローラ１０は、検出部の検出結果に応じて、制御を変更することがある。検出部は、例えば、タッチスクリーン２Ｂ、物理キーユニット３、照度センサ４、近接センサ５、マイク８、カメラ１２、カメラ１３、モーションセンサ１５を含むが、これらに限定されない。
【００４３】
コントローラ１０は、制御プログラム９Ａを実行することにより、電子機器１の各種動作に関する処理を実現できる。
【００４４】
コントローラ１０は、文字入力制御プログラム９Ｂを実行することにより、点字規則に従った文字入力処理を実現できる。コントローラ１０は、例えば、第１キーユニット３ａを構成する複数の物理キー３ａ１、・・・、物理キー３ａ１０に、点字規則に従って文字を表わす点字を入力するための複数の点字キーに対応する役割を重複しないように個別に割り当てる処理を実現できる。コントローラ１０は、例えば、複数の物理キー３ａ１、・・・、物理キー３ａ１０の少なくとも１つのキーに対する操作を検出すると、操作が検出された物理キーに対応する文字を点字規則と照らし合わせて特定する処理を実現できる。コントローラ１０は、コントローラの一例である。
【００４５】
スピーカ１１は、コントローラ１０から送出される音信号を音として出力する。スピーカ１１は、例えば、着信音及び音楽を出力するために用いられる。レシーバ７及びスピーカ１１の一方が、他方の機能を兼ねてもよい。
【００４６】
カメラ１２及びカメラ１３は、撮影した画像を電気信号へ変換する。カメラ１２は、ディスプレイ２Ａに面している物体を撮影するインカメラである。カメラ１３は、ディスプレイ２Ａの反対側の面に面している物体を撮影するアウトカメラである。カメラ１２及びカメラ１３は、インカメラ及びアウトカメラを切り換えて利用可能なカメラユニットとして、機能的及び物理的に統合された状態で電子機器１に実装されてもよい。
【００４７】
コネクタ１４は、他の装置が接続される端子である。コネクタ１４は、ＵＳＢ（Ｕｎｉｖｅｒｓａｌ  Ｓｅｒｉａｌ  Ｂｕｓ）、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）、ライトピーク（サンダーボルト（登録商標））、イヤホンマイクコネクタのような汎用的な端子であってもよい。コネクタ１４は、Ｄｏｃｋコネクタのような専用の端子でもよい。コネクタ１４に接続される装置は、例えば、外部ストレージ、スピーカ、及び通信装置を含むが、これらに限定されない。
【００４８】
モーションセンサ１５は、電子機器１を携帯する利用者の動作を判定するための各種情報を検出できる。モーションセンサ１５は、加速度センサ、方位センサ、ジャイロスコープ、磁気センサ及び気圧センサなどを備えるセンサユニットとして構成されてよい。
【００４９】
電子機器１は、上記の各機能部の他、ＧＰＳ受信機、及びバイブレータを備えてもよい。ＧＰＳ受信機は、ＧＰＳ衛星からの所定の周波数帯の電波信号を受信する。ＧＰＳ受信機は、受信した電波信号の復調処理を行って、処理後の信号をコントローラ１０に送出する。ＧＰＳ受信機は、電子機器１の現在位置の演算処理をサポートする。電子機器１は、ＧＰＳ衛星以外の測位用人工衛星の信号を受信可能な受信機を備え、現在位置の演算処理を実行してもよい。バイブレータは、電子機器１の一部又は全体を振動させる。バイブレータは、振動を発生させるために、例えば、圧電素子、又は偏心モータなどを有する。電子機器１は、バッテリなど、電子機器１の機能を維持するために当然に用いられる機能部、及び電子機器１の制御を実現するために当然に用いられる制御部を実装する。
【００５０】
電子機器１は、通信ユニット６を介してクラウド上の記憶サーバにアクセスし、各種プログラム及びデータを取得してもよい。
【００５１】
図１４を参照しつつ、実施形態に係る電子機器１の処理の一例を説明する。図１４は、実施形態に係る文字入力処理に伴う画面遷移を示す概要図である。以下では、図１４を用いて、点字キーに対応する役割が、第１キーユニット３ａを構成する複数の物理キーに割り当てられている場合の処理について説明する。
【００５２】
電子機器１は、点字規則に従った文字入力処理の実行に際し、キー割り当てデータ９Ｃを参照し、点字規則に従って文字を表わす点字を入力するための複数の点字キーに対応する役割を、第１キーユニット３ａを構成する複数の物理キーに重複しないように個別に割り当てる。
【００５３】
続いて、電子機器１は、図１４に示すように、文字入力処理の実行画面２０をディスプレイ２Ａに表示する（ステップＳ１１）。実行画面２０は、テキスト表示領域２１を有する。
【００５４】
続いて、電子機器１は、物理キー３ａ７に対するタッチを検出すると、タッチが検出された物理キー３ａ７に対応する出力を実行する（ステップＳ１２）。具体的には、電子機器１は、物理キー３ａ７に対応する文字を、点字規則データ９Ｄに基づいて特定し、特定した文字「あ」の読み上げ音声Ｍ１をスピーカ１１から出力する。
【００５５】
物理キー３ａ７に対応する出力を実行した後、電子機器１は、物理キー３ａ４に対する新たなタッチを検出すると、ステップＳ１２において既に操作を検出済みである物理キー３ａ７及び新たに操作が検出された物理キー３ａ４に対応する出力を実行する（ステップＳ１３）。具体的には、電子機器１は、物理キー３ａ７及び物理キー３ａ４の組合せに対応する文字を、点字規則データ９Ｄに基づいて特定し、特定した文字「う」の読み上げ音声Ｍ２をスピーカ１１から出力する。
【００５６】
物理キー３ａ７及び物理キー３ａ４に対応する出力を実行した後、電子機器１は、物理キー３ａ２に対する新たなタッチを検出すると、ステップＳ１２において既に操作を検出済みである物理キー３ａ７、ステップＳ１３において既に操作を検出済みである物理キー３ａ４、及び新たに操作が検出された物理キー３ａ２に対応する出力を実行する（ステップＳ１４）。具体的には、電子機器１は、物理キー３ａ７、物理キー３ａ４、及び物理キー３ａ２の組合せに対応する文字を、点字規則データ９Ｄに基づいて特定し、特定した文字「く」の読み上げ音声Ｍ３をスピーカ１１から出力する。
【００５７】
続いて、電子機器１は、物理キー３ａ７、物理キー３ａ４、及び物理キー３ａ２に対する押下を検出すると、押下が検出された物理キー３ａ７、物理キー３ａ４、及び物理キー３ａ２に対応する出力を実行する（ステップＳ１５）。具体的には、電子機器１は、物理キー３ａ７、物理キー３ａ４、及び物理キー３ａ２の組合せに対応する文字「く」の入力を確定し、テキスト表示領域２１に表示させる。
【００５８】
上記ステップＳ１３、ステップＳ１４、及びステップＳ１５において、電子機器１は、第１キーユニット３ａを構成する複数の物理キーに対して同時に操作が行われても、複数の物理キーに対する同時の操作として検出できる。電子機器１は、第１キーユニット３ａを構成する複数の物理キーに対する操作が完全に同時に検出されなくても、一定時間内に検出された場合には、複数の物理キーに対する同時の操作と判定してもよい。電子機器１は、第１キーユニット３ａを構成する複数の物理キーのいずれかに対するタッチが継続している状態で、タッチされている物理キーとは別の物理キーに対するタッチが行われた場合、別の物理キーに対する操作を無効なものと判定してもよい。
【００５９】
上記ステップＳ１２、ステップＳ１３、及びステップＳ１４において、電子機器１は、他の物理キーへのタッチ、物理キーの押下を検出しない間、タッチを検出した物理キーに対応する文字の読み上げ音声の出力を最初の読み上げから一定時間経過ごとに繰り返し実行してもよい。上記ステップＳ１２、ステップＳ１３、及びステップＳ１４において、電子機器１は、タッチが検出された物理キーに対応する文字が特定できない場合には、何も処理を行わなくてもよいし、バイブレータによる報知、割り当てがない旨の読み上げ音声の出力、ブザー音による報知などを実行してもよい。電子機器１は、キー割り当てデータ９Ｃによる割り当てがなく、点字規則に従った文字入力処理の実行に使用されない物理キーについては、押下ができないような機構にしてもよい。
【００６０】
上記ステップＳ１２、ステップＳ１３、及びステップＳ１４において、電子機器１は、物理キーに対する操作が検出されてから一定時間が経過するまでの間、物理キーに対する操作の検出結果を一時的に保存し、一定時間の経過後、当該検出結果を破棄するようにしてもよい。あるいは、上記ステップＳ１２、ステップＳ１３、及びステップＳ１４において、電子機器１は、物理キーに対する操作が検出されてから一定時間が経過する前であっても、所定の操作が検出されることを条件に、物理キーに対する操作の検出結果を破棄するようにしてもよい。電子機器１は、所定の操作として、物理キーに対する操作の検出結果を破棄するための機能が割り当てられている物理キーに対する操作を検出してもよいし、タッチスクリーンディスプレイ２を介して、物理キーに対する操作の検出結果を破棄するための所定のタッチジェスチャを検出してもよい。
【００６１】
上記ステップＳ１５において、電子機器１は、物理キーの押下を検出し、押下が検出された物理キーの操作に対応する文字の入力を確定した場合には、バイブレータの振動、若しくはスピーカ１１からの効果音の出力によるフィードバックを実行してもよい。
【００６２】
上記図１４の説明において、電子機器１は、スピーカ１１を介して、文字の読み上げ音声を出力する際に、対応する文字の画像をディスプレイ２Ａにあわせて表示させてもよい。電子機器１は、スピーカ１１を介して、文字の読み上げ音声を出力する代わりに、対応する文字の画像をディスプレイ２Ａに表示させてもよい。電子機器１は、文字の読み上げ音声を出力しなくてもよい。
【００６３】
上記図１４の説明において、電子機器１は、押下が検出された物理キーに対応する文字の入力を確定させる例を説明したが、文字入力の確定させる機能が割り当てられている物理キーの押下によって、文字入力を確定させてもよい。
【００６４】
図１５を用いて、実施形態に係る電子機器により実行される処理の流れを説明する。図１５は、実施形態に係る電子機器により実行される処理の流れの一例を示すフローチャートである。図１５に示す処理は、コントローラ１０が、文字入力制御プログラム９Ｂを実行することにより実現される。図１５の説明において、物理キー３ａｍは、第１キーユニット３ａを構成する物理キー３ａ１、・・・、物理キー３ａ１０のいずれか１つ又は複数のキーに対応する。
【００６５】
図１５に示すように、コントローラ１０は、第１キーユニット３ａのいずれかの物理キー３ａｍへのタッチを検出したかを判定する（ステップＳ１０１）。
【００６６】
コントローラ１０は、判定の結果、物理キー３ａｍへのタッチを検出した場合（ステップＳ１０１，Ｙｅｓ）、タッチを検出した物理キー３ａｍに対応する出力を実行する（ステップＳ１０２）。例えば、コントローラ１０は、タッチを検出した１又は複数の物理キーに対応する文字を、点字規則データ９Ｄに基づいて特定し、例えば、特定した文字の読み上げ音声を出力する。
【００６７】
続いて、コントローラ１０は、物理キー３ａｍの押下を検出したかを判定する（ステップＳ１０３）。
【００６８】
コントローラ１０は、判定の結果、物理キー３ａｍの押下を検出した場合（ステップＳ１０３，Ｙｅｓ）、押下を検出した物理キー３ａｍに対応する出力を実行する（ステップＳ１０４）。例えば、コントローラ１０は、押下を検出した１又は複数の物理キーに対応する文字の入力を確定し、文字入力処理の実行画面２０のテキスト表示領域２１に表示させる。
【００６９】
続いて、コントローラ１０は、第１キーユニット３ａ以外へのタッチを検出したかを判定する（ステップＳ１０５）。
【００７０】
コントローラ１０は、判定の結果、第１キーユニット３ａ以外へのタッチを検出した場合（ステップＳ１０５，Ｙｅｓ）、図１５に示す処理を終了する。これとは反対に、コントローラ１０は、判定の結果、第１キーユニット３ａ以外へのタッチを検出しない場合（ステップＳ１０５，Ｎｏ）、上記ステップＳ１０１の判定に戻る。
【００７１】
上記ステップＳ１０３において、コントローラ１０は、判定の結果、物理キー３ａｍの押下を検出しない場合（ステップＳ１０３，Ｎｏ）、上記ステップＳ１０１の判定に戻る。
【００７２】
上記ステップＳ１０１において、コントローラ１０は、判定の結果、物理キー３ａｍへのタッチを検出しない場合（ステップＳ１０１，Ｎｏ）、同判定を繰り返す。
【００７３】
上記の実施形態によれば、電子機器１は、従来の文字入力を操作性の面で改善できる。
【００７４】
図１６及び図１７は、電子機器が備える複数の物理キーの他の配置例を示す図である。電子機器１は、第１キーユニット３ａが備える複数の物理キーのうち、点字キーの役割が割り当てられる物理キーの位置を手で触れた感触に基づいて把握することが容易となるように配置してもよい。
【００７５】
図１６に示す例では、電子機器１は、物理キー３ａ１と物理キー３ａ２との間に空間４０ａを設け、物理キー３ａ４と物理キー３ａ５との間に空間４０ｂを設け、物理キー３ａ６と物理キー３ａ７との間に空間４０ｃを設け、物理キー３ａ９と物理キー３ａ１０との間に空間４０ｄを設ける。図１７に示す例では、物理キー３ａ１と物理キー３ａ２との間に間仕切り５０ａを設け、物理キー３ａ４と物理キー３ａ５との間に間仕切り５０ｂを設け、物理キー３ａ６と物理キー３ａ７との間に間仕切り５０ｃを設け、物理キー３ａ９と物理キー３ａ１０との間に間仕切り５０ｄを設ける。このようにして、電子機器１は、第１キーユニット３ａが備える複数の物理キー３ａ１〜３ａ１０のうち、右側キーグループ３０ａに対応する物理キー３ａ２〜３ａ４と、左側キーグループ３０ｂに対応する物理キー３ａ７〜３ａ９とを、他の物理キーとは離して配置することにより、点字キーの役割が割り当てられる物理キーの位置を手で触れた感触に基づいて把握することが容易となるようにする。
【００７６】
図１８は、実施形態に係る物理キーユニットの他の構成例を示す図である。電子機器１は、図１８に示すように、例えば、第１キーユニット３ａを、点字キーの役割が割り当てられる物理キーのみで構成することもできる。
【００７７】
図１９及び図２０は、実施形態に係る電子機器が備える物理キーの操作面に関する他の構造例を示す図である。電子機器１が備える複数の物理キーの中から物理キー３ａ１の操作面を例示する。図１９に示す例では、電子機器１は、例えば、第１キーユニット３ａの物理キー３ａ１の操作面（利用者が触れて操作する面）に点字パターンを表出させる６つの突起部７０ａ〜７０ｆを備える。突起部７０ａ〜７０ｆは、アクチュエーター等により表面に突出させること、及び内部に収納させることが可能な状態で設置される。物理キー３ａ１は、点字を読み取る場合の一般的な横方向の指の動きに合わせて、図１９に示す例から９０度回転した状態で設置されてもよい。図１９に示す６つの突起部７０ａ〜７０ｆは、利用者の操作により入力が確定し、例えば、図１４に示す実行画面２０のテキスト表示領域２１に表示される文字に合わせて突出する。利用者は、物理キーの表面に触れることで、入力された文字を確認できる。図１９に示す６つの突起部７０ａ〜７０ｆと同様の突起部を、第２キーユニット３ｂの物理キーの操作面に設けてもよい。
【００７８】
図２０に示す例では、電子機器１は、物理キー３ａ１の操作面を２つの領域８０ａ及び領域８０ｂに分けるように、物理キー３ａ１の長手方向に平行な線状の間仕切り９０を物理キー３ａ１の操作面に設ける。図２０に示す物理キー３ａ１では、電子機器１は、物理キー３ａ１の操作面の２つの領域８０ａ及び領域８０ｂのうち、どちらの領域にタッチが検出されたかによって、処理内容を変更することができる。
【００７９】
図２１を用いて、電子機器１の機能構成の他の例を説明する。図２１は、実施形態に係る電子機器の機能構成の他の例を示す図である。上記の実施形態では、電子機器１は、物理キーユニット３を内部に備える例（図１参照）を説明したが、物理キーユニット３を外付け可能な個別のユニットとして構成することもできる。図２１に示すように、電子機器１は、通信ユニット６を介して、外付け物理キーユニット１００と通信可能な状態で接続する。外付け物理キーユニット１００は、例えば、通信ユニット１０１、メモリ１０２、物理キーユニット１０３、及びマイコン１０４を備える。電子機器１は、通信ユニット６を介して、外付け物理キーユニット１００に対する利用者の操作の情報を受信し、上記の実施形態と同様の処理を実行できる。
【００８０】
図２２〜図２７は、実施形態に係る電子機器の他の構造例を示す図である。図２２に示すように、電子機器１は、ディスプレイ２Ａを備えることなく、利用者の操作面に複数の物理キーのみを配置した構造であってもよい。また、図２３に示すように、電子機器１は、ディスプレイ２Ａを備えることなく、利用者の操作面にタッチスクリーン２Ｂ及び複数の物理キーのみを配置した構造であってもよい。また、図２４に示すように、電子機器１は、図２に示す例とは異なる位置に複数の物理キーを配置した構造であってもよい。すなわち、物理キー３ａ１、・・・、物理キー３ａ１０は、電子機器１の筐体１ｈの縁Ｆ３に沿って配置される。同様に、物理キー３ｂ１、・・・、物理キー３ｂ１０は、縁Ｆ４に沿って配置される。同様に、物理キー３ｃ１、物理キー３ｃ２、及び物理キー３ｃ３は、縁Ｆ２に沿って配置される。図２４に示す例では、物理キー３ａ１、・・・、物理キー３ａ１０は、電子機器１の筐体１ｈの縁Ｆ３に沿って配置されるが、タッチスクリーンディスプレイ２の輪郭を構成する１辺に沿った配置であってよい。同様に、物理キー３ｂ１、・・・、物理キー３ｂ１０は、縁Ｆ４に沿って配置されるが、タッチスクリーンディスプレイ２の輪郭を構成する１辺に沿った配置であってよい。同様に、物理キー３ｃ１、物理キー３ｃ２、及び物理キー３ｃ３は、縁Ｆ２に沿って配置されるが、タッチスクリーンディスプレイ２の輪郭を構成する１辺に沿った配置であってよい。また、図２５及び図２６に示すように、電子機器１は、略円形状の形態をなし、内部にタッチスクリーンディスプレイ２を配置するとともに、構造体の外周部に点字キーとしての役割が割り当てられる複数の物理キーを配置した構造体であってもよい。また、図２７に示すように、電子機器１は、略円柱状の形態をなし、上面にタッチスクリーンディスプレイ２を配置し、側面に複数の物理キーを配置した構造体であってもよい。
【００８１】
上記の実施形態において、第２キーユニット３ｂを構成する物理キー３ｂ６、・・・、物理キー３ｂ１０、及び第３キーユニット３ｃを構成する物理キー３ｃ１、物理キー３ｃ２、及び物理キー３ｃ３に対しては、点字規則に従った文字入力処理に関連した各種機能、あるいは点字規則に従った文字入力処理とは関連しない各種機能が割り当てられていてもよい。
【００８２】
本明細書では、添付の請求項に係る技術を完全かつ明瞭に開示するために特徴的な実施形態に関し記載してきた。しかし、添付の請求項は、上記の実施形態に限定されるべきものでなく、本明細書に示した基礎的事項の範囲内で当該技術分野の当業者が創作しうるすべての変形例及び代替可能な構成により具現化されるべきである。
【符号の説明】
【００８３】
１  電子機器
２Ａ  ディスプレイ
２Ｂ  タッチスクリーン
３  物理キーユニット
４  照度センサ
５  近接センサ
６  通信ユニット
７  レシーバ
８  マイク
９  ストレージ
９Ａ  制御プログラム
９Ｂ  文字入力制御プログラム
９Ｃ  キー割り当てデータ
９Ｄ  点字規則データ
９Ｅ  条件データ
９Ｚ  設定データ
１０  コントローラ
１１  スピーカ
１２  カメラ
１３  カメラ
１４  コネクタ
１５  モーションセンサ
【図１】
2020155161.tif 000003
【図２】
2020155161.tif 000004
【図３】
2020155161.tif 000005
【図４】
2020155161.tif 000006
【図５】
2020155161.tif 000007
【図６】
2020155161.tif 000008
【図７】
2020155161.tif 000009
【図８】
2020155161.tif 000010
【図９】
2020155161.tif 000011
【図１０】
2020155161.tif 000012
【図１１】
2020155161.tif 000013
【図１２】
2020155161.tif 000014
【図１３】
2020155161.tif 000015
【図１４】
2020155161.tif 000016
【図１５】
2020155161.tif 000017
【図１６】
2020155161.tif 000018
【図１７】
2020155161.tif 000019
【図１８】
2020155161.tif 000020
【図１９】
2020155161.tif 000021
【図２０】
2020155161.tif 000022
【図２１】
2020155161.tif 000023
【図２２】
2020155161.tif 000024
【図２３】
2020155161.tif 000025
【図２４】
2020155161.tif 000026
【図２５】
2020155161.tif 000027
【図２６】
2020155161.tif 000028
【図２７】
2020155161.tif 000029
【手続補正書】
【提出日】令和2年6月29日(2020.6.29)
【手続補正１】
【補正対象書類名】特許請求の範囲
【補正対象項目名】全文
【補正方法】変更
【補正の内容】
【特許請求の範囲】
【請求項１】
筐体と、
前記筐体の縁に沿って並ぶ複数の物理キーと、
前記物理キーの操作に基づいて、点字規則に従った文字入力処理を実行するコントローラと
を備え、
前記コントローラは、
複数の前記物理キーに、前記点字規則に従って文字を表わす点字を入力するための複数の点字キーに対応する役割を重複しないように個別に割り当てて、
１又は複数の前記物理キーに対する操作を検出すると、該操作が検出された１又は複数の物理キーに対応する文字を前記点字規則と照らし合わせて特定し、特定した前記文字の読み上げ音声を出力する電子機器。
【請求項２】
筐体と、
前記筐体の縁に沿って並ぶ複数の物理キーと
を備える電子機器が実行する制御方法であって、
複数の前記物理キーに、点字規則に従って文字に対応する複数の点字キーに対応する役割を重複しないように個別に割り当てるステップと、
１又は複数の前記物理キーに対する操作を検出すると、該操作が検出された１又は複数の物理キーに対応する文字を前記点字規則と照らし合わせて特定し、特定した前記文字の読み上げ音声を出力するステップと
含む文字入力制御方法。
【請求項３】
筐体と、
前記筐体の縁に沿って並ぶ複数の物理キーと
を備える電子機器に、
複数の前記物理キーに、点字規則に従って文字に対応する複数の点字キーに対応する役割を重複しないように個別に割り当てるステップと、
１又は複数の前記物理キーに対する操作を検出すると、該操作が検出された１又は複数の物理キーに対応する文字を前記点字規則と照らし合わせて特定し、特定した前記文字の読み上げ音声を出力するステップと
を実行させる文字入力制御プログラム。